(57)【特許請求の範囲】
【請求項１】
携帯端末とサーバ装置間で通信を行う番組連動システムであって、
前記サーバ装置においては、
各ユーザの携帯端末に対するメールアドレスを登録する登録手段と、
テレビ放送の番組における開始、終了、イベントに関する時刻を含むスケジュール情報を記憶する記憶手段と、
前記記憶手段に記憶されたスケジュール情報に基づいて番組の開始時刻に達したかどうかを判断する判断手段と、  
前記判断手段で番組開始時刻に達したことが判断された場合、前記登録手段に登録されたメールアドレスを参照して、前記開始時刻に達した番組に連動したサービスを行うためのアクセス先となるＵＲＬを埋め込んだメールを生成して前記各ユーザの携帯端末に対して送信するメール送信手段と、
前記メール送信手段で送信したメールに埋め込まれたＵＲＬに基づく携帯端末からのアクセスに応じて当該アクセス元の携帯端末における時計の時刻を調整する第１時計調整手段と、
前記第１時計調整手段の調整後、前記携帯端末からのアクセスに応じて前記記憶手段から前記番組開始時刻に達した番組のスケジュール情報を読み出して送信するスケジュール送信手段と、
前記各ユーザの携帯端末から前記スケジュール送信手段で送信したスケジュール情報に基づくアクセスがあった場合、当該アクセスに応じて所定の処理を提供する提供手段と、
を備え、
前記各ユーザの携帯端末においては、
前記メール送信手段に基づくメールを受信するメール受信手段と、
ユーザの操作に応答して、前記メール受信手段で受信されたメールに埋め込まれたＵＲＬに基づいて前記サーバ装置に対してアクセスし、前記第１時刻調整手段に応じて当該携帯端末自身の時計の時刻を調整する第２時計調整手段と、
前記第２時計調整手段の調整後、前記スケジュール送信手段により送信されるスケジュール情報を受信するスケジュール受信手段と、
前記スケジュール受信手段で受信されたスケジュール情報を記憶するスケジュール記憶手段と、
前記第２時計調整手段により調整された時計の時刻に応じて前記スケジュール記憶手段に記憶されたスケジュール情報に含まれるイベント情報の時刻に到達したかどうかを判断する時刻判断手段と、
前記時刻判断手段により到達が確認された場合、当該時刻に到達したイベント情報に応じて前記サーバ装置にアクセスし、前記提供手段に基づく所定の処理に応じた処理を実行する実行手段と、
を備えたことを特徴とする番組連動システム。
【請求項２】
携帯端末とサーバ装置間で通信を行う番組連動方法であって、
前記サーバ装置において、各ユーザの携帯端末に対するメールアドレスを登録しており、テレビ放送の番組における開始、終了、イベントに関する時刻を含むスケジュール情報を記憶手段に記憶しており、前記記憶手段に記憶されたスケジュール情報に基づいて番組の開始時刻に達したかどうかを判断し、番組開始時刻に達したことが判断された場合、前記登録されたメールアドレスを参照して、前記開始時刻に達した番組に連動したサービスを行うためのアクセス先となるＵＲＬを埋め込んだメールを生成して前記各ユーザの携帯端末に対して送信する第１ステップと、
前記各ユーザの携帯端末において、前記サーバ装置から前記メールを受信した後、ユーザの操作に応答して、前記受信されたメールに埋め込まれたＵＲＬに基づいて前記サーバ装置に対してアクセスし、前記サーバ装置において、当該アクセス元の携帯端末における時計の時刻を調整する第２ステップと、
前記調整後、前記サーバ装置において、前記携帯端末からのアクセスに応じて前記記憶手段から前記番組開始時刻に達した番組のスケジュール情報を読み出して送信しておき、前記携帯端末において、前記調整された時計の時刻に応じて前記記憶されたスケジュール情報に含まれるイベント情報の時刻に到達したかどうかを判断して、その到達が確認された場合、当該時刻に到達したイベント情報に応じた処理を前記サーバ装置から前記携帯端末に対して提供する第３ステップと、
を含んだことを特徴とする番組連動方法。
【請求項３】
サーバ装置であって、
各ユーザの携帯端末に対するメールアドレスを登録する登録手段と、
テレビ放送の番組における開始、終了、イベントに関する時刻を含むスケジュール情報を記憶する記憶手段と、
前記記憶手段に記憶されたスケジュール情報に基づいて番組の開始時刻に達したかどうかを判断する判断手段と、
前記判断手段で番組開始時刻に達したことが判断された場合、前記登録手段に登録されたメールアドレスを参照して、前記開始時刻に達した番組に連動したサービスを行うためのアクセス先となるＵＲＬを埋め込んだメールを生成して前記各ユーザの携帯端末に対して送信するメール送信手段と、
前記メール送信手段で送信したメールに埋め込まれたＵＲＬに基づく携帯端末からのアクセスに応じて当該アクセス元の携帯端末における時計の時刻を調整する第１時計調整手段と、
前記第１時計調整手段の調整後、前記携帯端末からのアクセスに応じて前記記憶手段から前記番組開始時刻に達した番組のスケジュール情報を読み出して送信するスケジュール送信手段と、
前記各ユーザの携帯端末から前記スケジュール送信手段で送信したスケジュール情報に基づくアクセスがあった場合、当該アクセスに応じて所定の処理を提供する提供手段と、
を備えたことを特徴とするサーバ装置。
【請求項４】
サーバ装置のコンピュータにより実行可能なプログラムであって、
前記コンピュータに、
前記サーバ装置において、各ユーザの携帯端末に対するメールアドレスが登録されるとともに  テレビ放送の番組における開始、終了、イベントに関する時刻を含むスケジュール情報が記憶されており、前記記憶されたスケジュール情報に基づいて番組の開始時刻に達したかどうかを判断する第１ステップと、
前記第１ステップで番組開始時刻に達したことが判断された場合、前記登録されたメールアドレスを参照して、前記開始時刻に達した番組に連動したサービスを行うためのアクセス先となるＵＲＬを埋め込んだメールを生成して前記各ユーザの携帯端末に対して送信する第２ステップと、
前記第２ステップで送信したメールに埋め込まれたＵＲＬに基づく携帯端末からのアクセスに応じて当該アクセス元の携帯端末における時計の時刻を調整する第３ステップと、
前記第３ステップの調整後、前記携帯端末からのアクセスに応じて前記記憶手段から前記番組開始時刻に達した番組のスケジュール情報を読み出して送信する第４ステップと、
前記各ユーザの携帯端末から前記第４ステップで送信したスケジュール情報に基づくアクセスがあった場合、当該アクセスに応じて所定の処理を提供する第５ステップと、
を実行させることを特徴とするプログラム。
【請求項５】
携帯端末との通信を通じて番組連動処理を実現するサーバ装置における番組連動方法であって、
前記サーバ装置において、各ユーザの携帯端末に対するメールアドレスが登録されるとともに  テレビ放送の番組における開始、終了、イベントに関する時刻を含むスケジュール情報が記憶されており、前記記憶されたスケジュール情報に基づいて番組の開始時刻に達したかどうかを判断する第１ステップと、
前記第１ステップで番組開始時刻に達したことが判断された場合、前記登録されたメールアドレスを参照して、前記開始時刻に達した番組に連動したサービスを行うためのアクセス先となるＵＲＬを埋め込んだメールを生成して前記各ユーザの携帯端末に対して送信する第２ステップと、
前記第２ステップで送信したメールに埋め込まれたＵＲＬに基づく携帯端末からのアクセスに応じて当該アクセス元の携帯端末における時計の時刻を調整する第３ステップと、
前記第３ステップの調整後、前記携帯端末からのアクセスに応じて前記記憶手段から前記番組開始時刻に達した番組のスケジュール情報を読み出して送信する第４ステップと、
前記各ユーザの携帯端末から前記第４ステップで送信したスケジュール情報に基づくアクセスがあった場合、当該アクセスに応じて所定の処理を提供する第５ステップと、
を含んだことを特徴とする番組連動方法。
【発明の詳細な説明】
【技術分野】
【０００１】
本発明は、番組連動システム  番組連動方法、サーバ装置、および、プログラムに関するものであり、特に、テレビ放送等の番組と連動して表示やユーザからの入力の処理を行う番組連動システム  番組連動方法、サーバ装置、および、プログラムに関するものである。
【背景技術】
【０００２】
従来、テレビ等の放送番組とネットワークに接続された端末との連動システムが各種提案されている。例えば、下記の特許文献１には、メディア連動インターネットコンテンツ表示システムが開示されている。このシステムにおいては、例えばテレビで広告を視聴しているユーザが端末を操作することにより、該当する商品のホームページを表示させるようにしたものである。
【特許文献１】特開２００２−３１２６７９号公報
【発明の開示】
【発明が解決しようとする課題】
【０００３】
上記した従来の放送連動システムは、単に広告と関連するホームページを表示するという機能であり、ユーザが様々な形式で番組に参加することはできないという問題点があった。また、情報を取得するためにはユーザの操作が必須であり、簡単な操作で必要な情報が得られるとは限らないという問題点もあった。更に、従来の放送連動システムにおいては、ユーザが操作したボタンの情報、操作した時刻情報、ユーザの居住地域情報によって広告を特定しているので、例えば端末の時計が合っていない場合には異なるホームページが表示されてしまうという問題点もあった。
本発明の目的は、上記したような問題点を解決し、テレビ放送等の番組と連動して情報の表示やユーザからの入力の集計処理を行うことが可能な携帯端末、番組連動処理プログラム、サーバ装置、番組連動処理システム、および番組連動処理方法を提供することにある。
【課題を解決するための手段】
【０００４】
本発明の番組連動システムは、携帯端末とサーバ装置間で通信を行う番組連動システムであって、前記サーバ装置においては、各ユーザの携帯端末に対するメールアドレスを登録する登録手段と、テレビ放送の番組における開始、終了、イベントに関する時刻を含むスケジュール情報を記憶する記憶手段と、前記記憶手段に記憶されたスケジュール情報に基づいて番組の開始時刻に達したかどうかを判断する判断手段と、前記判断手段で番組開始時刻に達したことが判断された場合、前記登録手段に登録されたメールアドレスを参照して、前記開始時刻に達した番組に連動したサービスを行うためのアクセス先となるＵＲＬを埋め込んだメールを生成して前記各ユーザの携帯端末に対して送信するメール送信手段と、前記メール送信手段で送信したメールに埋め込まれたＵＲＬに基づく携帯端末からのアクセスに応じて当該アクセス元の携帯端末における時計の時刻を調整する第１時計調整手段と、前記第１時計調整手段の調整後、前記携帯端末からのアクセスに応じて前記記憶手段から前記番組開始時刻に達した番組のスケジュール情報を読み出して送信するスケジュール送信手段と、前記各ユーザの携帯端末から前記スケジュール送信手段で送信したスケジュール情報に基づくアクセスがあった場合、当該アクセスに応じて所定の処理を提供する提供手段と、を備え、前記各ユーザの携帯端末においては、前記メール送信手段に基づくメールを受信するメール受信手段と、ユーザの操作に応答して、前記メール受信手段で受信されたメールに埋め込まれたＵＲＬに基づいて前記サーバ装置に対してアクセスし、前記第１時刻調整手段に応じて当該携帯端末自身の時計の時刻を調整する第２時計調整手段と、前記第２時計調整手段の調整後、前記スケジュール送信手段により送信されるスケジュール情報を受信するスケジュール受信手段と、前記スケジュール受信手段で受信されたスケジュール情報を記憶するスケジュール記憶手段と、前記第２時計調整手段により調整された時計の時刻に応じて前記スケジュール記憶手段に記憶されたスケジュール情報に含まれるイベント情報の時刻に到達したかどうかを判断する時刻判断手段と、前記時刻判断手段により到達が確認された場合、当該時刻に到達したイベント情報に応じて前記サーバ装置にアクセスし、前記提供手段に基づく所定の処理に応じた処理を実行する実行手段と、を備えたことを特徴とするものである。
【０００５】
また、本発明の番組連動方法は、携帯端末とサーバ装置間で通信を行う番組連動方法であって、前記サーバ装置において、各ユーザの携帯端末に対するメールアドレスを登録しており、テレビ放送の番組における開始、終了、イベントに関する時刻を含むスケジュール情報を記憶手段に記憶しており、前記記憶手段に記憶されたスケジュール情報に基づいて番組の開始時刻に達したかどうかを判断し、番組開始時刻に達したことが判断された場合、前記登録されたメールアドレスを参照して、前記開始時刻に達した番組に連動したサービスを行うためのアクセス先となるＵＲＬを埋め込んだメールを生成して前記各ユーザの携帯端末に対して送信する第１ステップと、前記各ユーザの携帯端末において、前記サーバ装置から前記メールを受信した後、ユーザの操作に応答して、前記受信されたメールに埋め込まれたＵＲＬに基づいて前記サーバ装置に対してアクセスし、前記サーバ装置において、当該アクセス元の携帯端末における時計の時刻を調整する第２ステップと、前記調整後、前記サーバ装置において、前記携帯端末からのアクセスに応じて前記記憶手段から前記番組開始時刻に達した番組のスケジュール情報を読み出して送信しておき、前記携帯端末において、前記調整された時計の時刻に応じて前記記憶されたスケジュール情報に含まれるイベント情報の時刻に到達したかどうかを判断して、その到達が確認された場合、当該時刻に到達したイベント情報に応じた処理を前記サーバ装置から前記携帯端末に対して提供する第３ステップと、を含んだことを特徴とするものである。
【０００６】
また、本発明のサーバ装置は、各ユーザの携帯端末に対するメールアドレスを登録する登録手段と、テレビ放送の番組における開始、終了、イベントに関する時刻を含むスケジュール情報を記憶する記憶手段と、前記記憶手段に記憶されたスケジュール情報に基づいて番組の開始時刻に達したかどうかを判断する判断手段と、前記判断手段で番組開始時刻に達したことが判断された場合、前記登録手段に登録されたメールアドレスを参照して、前記開始時刻に達した番組に連動したサービスを行うためのアクセス先となるＵＲＬを埋め込んだメールを生成して前記各ユーザの携帯端末に対して送信するメール送信手段と、前記メール送信手段で送信したメールに埋め込まれたＵＲＬに基づく携帯端末からのアクセスに応じて当該アクセス元の携帯端末における時計の時刻を調整する第１時計調整手段と、前記第１時計調整手段の調整後、前記携帯端末からのアクセスに応じて前記記憶手段から前記番組開始時刻に達した番組のスケジュール情報を読み出して送信するスケジュール送信手段と、前記各ユーザの携帯端末から前記スケジュール送信手段で送信したスケジュール情報に基づくアクセスがあった場合、当該アクセスに応じて所定の処理を提供する提供手段と、を備えたことを特徴とするものである。
【０００７】
また、本発明のプログラムは、サーバ装置のコンピュータにより実行可能なプログラムであって、前記コンピュータに、前記サーバ装置において、各ユーザの携帯端末に対するメールアドレスが登録されるとともに  テレビ放送の番組における開始、終了、イベントに関する時刻を含むスケジュール情報が記憶されており、前記記憶されたスケジュール情報に基づいて番組の開始時刻に達したかどうかを判断する第１ステップと、前記第１ステップで番組開始時刻に達したことが判断された場合、前記登録されたメールアドレスを参照して、前記開始時刻に達した番組に連動したサービスを行うためのアクセス先となるＵＲＬを埋め込んだメールを生成して前記各ユーザの携帯端末に対して送信する第２ステップと、前記第２ステップで送信したメールに埋め込まれたＵＲＬに基づく携帯端末からのアクセスに応じて当該アクセス元の携帯端末における時計の時刻を調整する第３ステップと、前記第３ステップの調整後、前記携帯端末からのアクセスに応じて前記記憶手段から前記番組開始時刻に達した番組のスケジュール情報を読み出して送信する第４ステップと、前記各ユーザの携帯端末から前記第４ステップで送信したスケジュール情報に基づくアクセスがあった場合、当該アクセスに応じて所定の処理を提供する第５ステップと、を実行させることを特徴とする。
【０００８】
また、本発明の番組連動方法は、携帯端末との通信を通じて番組連動処理を実現するサーバ装置における番組連動方法であって、前記サーバ装置において、各ユーザの携帯端末に対するメールアドレスが登録されるとともに  テレビ放送の番組における開始、終了、イベントに関する時刻を含むスケジュール情報が記憶されており、前記記憶されたスケジュール情報に基づいて番組の開始時刻に達したかどうかを判断する第１ステップと、前記第１ステップで番組開始時刻に達したことが判断された場合、前記登録されたメールアドレスを参照して、前記開始時刻に達した番組に連動したサービスを行うためのアクセス先となるＵＲＬを埋め込んだメールを生成して前記各ユーザの携帯端末に対して送信する第２ステップと、前記第２ステップで送信したメールに埋め込まれたＵＲＬに基づく携帯端末からのアクセスに応じて当該アクセス元の携帯端末における時計の時刻を調整する第３ステップと、前記第３ステップの調整後、前記携帯端末からのアクセスに応じて前記記憶手段から前記番組開始時刻に達した番組のスケジュール情報を読み出して送信する第４ステップと、前記各ユーザの携帯端末から前記第４ステップで送信したスケジュール情報に基づくアクセスがあった場合、当該アクセスに応じて所定の処理を提供する第５ステップと、を含んだことを特徴とする。
【発明の効果】
【００１１】
本発明は上記のような特徴によって、携帯端末を所有するユーザが様々な形式でテレビ番組等に参加できるので、番組の視聴率およびサーバ装置へのアクセス数、サーバ装置の提供するサービスの利用数が増加するという効果がある。また、ユーザが予め参加を登録しておけば、自動的にアプリが起動して番組連動処理が自動的に実行されるので、操作性が向上するという効果もある。また、番組中の広告のより詳細な情報を提供可能となり、広告効果が向上するという効果もある。更に、番組や広告に対するユーザの反応を直接、リアルタイムに収集することができるので、マーケティングリサーチの有効なツールとして使用可能であるという効果もある。
【発明を実施するための最良の形態】
【００１２】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１３】
まずシステム全体の構成について説明する。図１は、本発明の実施例のシステム全体を示す概略構成図である。このシステムは、携帯端末の一種である携帯電話１とサーバ装置２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、ＨＴＴＰ（Hyper Text Transfer Protocol）によりＷｅｂ閲覧を可能にするＷｅｂブラウザを標準装備しており、更に本発明によるアプリケーションプログラムをダウンロードして記憶可能である。
【００１４】
サーバ装置２はデータベース３を備え、Ｗｅｂサーバ、メールサーバ、アプリケーションサーバ等の機能を有する。サーバ装置２はインターネット４、携帯電話網５を介して携帯電話１やパソコンなどのその他の端末と通信可能であり、携帯電話１からのアクセスに応じて後述するような処理を行う。データベース３は、サーバ装置２に接続されたデータベースシステムであり、ダウンロード用アプリ、ユーザ関連データ、コンテンツデータ等の各種データを記憶すると共にサーバ装置２からの要求に基づきサーバ装置２に必要なデータを提供する。
【００１５】
ＴＶ放送局１０は、公知のテレビ番組の放送機能を有すると共に、インターネット４を介してサーバ装置２にアクセスし、例えばＷｅｂ上のアンケート集計結果等のデータを閲覧し、必要に応じて番組（放送画面）に取り込む機能を備えている。但し、ＴＶ放送局１０がサーバ装置２にアクセス可能に構成されていなくても本発明は実施可能である。テレビ受信機１１は携帯電話１のユーザが所有する公知のテレビ受信機である。本発明のシステムによって、ユーザはテレビ受信機１１によって例えばクイズ番組を見ながら、携帯電話１を使用してクイズに参加することができる。
【００１６】
図２は、本実施の形態による携帯電話１の内部構成例を示すブロック図である。携帯電話１は、制御部２０、通信制御部２１、表示部２３、入力部２４、音声／サウンド制御部、時計部２８、記憶部３０を備え、各回路はバス２９によって接続されている。
【００１７】
情報処理機能を実現する制御部２０は、ＣＰＵ、ＲＯＭ、ＲＡＭなどを備え、ＲＯＭや記憶部３０に記憶された各種プログラムに従って携帯電話１全体の制御を行う。記憶部３０は、例えば不揮発性のメモリからなり、例えばＷｅｂ閲覧を制御するＷｅｂブラウザ、メールの送受信を制御するメーラープログラム、あるいはダウンロードされた本発明に関するアプリアプリケーションプログラム等の各種アプリやアプリで使用するデータ、待ち受け画像等の画像データ、着信メロディデータ、電話帳データなどを記憶している。ＣＰＵは上記した各種アプリを実行可能である。
【００１８】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００１９】
音声／サウンド制御部２５は、スピーカ２６およびマイク２７が接続されており、呼出音、着信メロ等のサウンド出力や通話時の音声出力、およびマイク２７からの音声入力を実行する。時計部は制御部に現在時刻情報を提供する。この他、赤外線通信機能、近距離無線通信機能、外部機器接続機能、カメラ機能、（デジタル）テレビあるいは（デジタル）ラジオ受信機能、メモリカードスロット等を備えていてもよい。
【００２０】
図３は、本実施の形態によるサーバ装置２の内部構成例を示すブロック図である。サーバ装置２は、制御部４１、記憶部４２、通信制御部４３、データベースインターフェイス部４４、時計部４５等からなり、各回路はバス４６によって接続されている。制御部４１はＣＰＵ、ＲＯＭ、ＲＡＭなどを備え、周知のＯＳ、サーバプログラムおよび本発明の機能を実現するアプリケーションプログラムを実行することにより、サーバ全体を制御する。
【００２１】
記憶部４２は例えばハードディスク装置を備え、ＯＳ、公知あるいは本発明による各種アプリケーションプログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００２２】
以下に、本発明による番組連動処理の機能および動作を説明する。図４は、本発明の番組連動処理の概要を示すフローチャートである。なお、実施例においては、番組連動処理は常時ではなく、特定の番組のみにサービスされるものとするが、全ての放送番組に対して常時番組連動処理をサービスすることも可能である。
【００２３】
Ｓ１０においては、まずユーザが携帯電話１のブラウザを用いてサーバ装置２にアクセスし、ユーザ登録を行う。次に、Ｓ１１においては、携帯電話１がサーバ装置２から本発明によるアプリをダウンロードして保存する。Ｓ１２においては、ユーザが携帯電話１のブラウザを使用してサーバ装置２へアクセスし、番組への参加を登録する。Ｓ１３においては、番組開始時にサーバ装置２からのメール送信等によって携帯電話１のアプリを起動させる。Ｓ１４においては、アプリがサーバ装置２から番組のスケジュールデータを取得する。Ｓ１５においては、アプリによって後述するような番組参加を行う。
【００２４】
図６は、本発明の番組連動処理における参加登録処理の内容を示すフローチャートである。縦線は時間の経過を示し、横点線は情報、データ、情報の移動を示している。このフローチャートは図４のＳ１２に対応する。Ｓ４０においては、携帯電話１のブラウザを使用してサーバ装置２にアクセスする。なお、携帯電話網のキャリアから認定された公式サイト（サーバ）であれば、アクセスしてきた携帯電話のＵＩＤ（ユーザ固有の識別情報）を携帯電話網から取得可能であるので、ユーザの特定（認証）が可能である。また、ユーザＩＤとパスワードによって認証を行ってもよい。Ｓ４１においては、サーバ装置２から参加が可能な番組のリストを送信する。Ｓ４２においては、ブラウザがリストを表示し、ユーザによって選択された番組の情報をサーバ装置２に送信する。Ｓ４３においては、サーバ装置２においてユーザの番組への参加を登録する。Ｓ４４においては、携帯電話１において登録の完了を表示する。
【００２５】
図５は、本発明の番組連動処理における携帯電話１およびサーバ装置２の処理内容を示すフローチャートである。このフローチャートは図４のＳ１３からＳ１５の部分に対応する。Ｓ２０においては、サーバ装置２がサービスを行う番組の開始時刻になるまで待つ。Ｓ２１においては、事前に番組への参加を登録した携帯電話１に対して、事前にダウンロードされている本発明のアプリを起動するためのメールを送信する。
【００２６】
Ｓ２２においては、メール受信に基づいて直接あるいはユーザの操作によってアプリが起動する。例えば、メールにアプリ起動用のＵＲＬ(Uniform Resource Locator)(=ＵＲＩ（Uniform Resource Identifiers))を記載しておき、ユーザがメーラーでメールを開いて記載されているＵＲＩを選択操作することにより対応するアプリが起動する。あるいはメーラーにおいてアプリ専用のメール受信ボックスにメールを保存し、そのメールを選択することにより、アプリが起動する。また、携帯電話１においてアプリ起動用のメールを受信することにより直接アプリを起動させることが可能である。なお、メール受信によって、ユーザがアプリを起動する操作を行ってもよい。
【００２７】
Ｓ２３においては、携帯電話１から時刻情報を送信する。Ｓ２４においては、サーバ装置２が携帯電話１から時刻情報を受信し、所定時間以上の誤差があり、修正する必要があれば修正指示（誤差情報あるいは現在時刻情報）を送信する。Ｓ２５においては、携帯電話１において時計部２８の時刻を合わせる。
【００２８】
Ｓ２６においては、アプリがサーバ装置２に番組と連動する処理のスケジュール情報を要求する。Ｓ２７においては、サーバ装置２において要求を受信し、携帯電話１に番組と連動する処理のスケジュール情報を送信する。図８はスケジュール情報の内容例を示す説明図である。図示されているように、番組開始から終了までの間の携帯電話１における各種処理の開始、終了時刻と処理内容が示されている。Ｓ２８においては、アプリがスケジュール情報を受信して記憶部３０に保存する。Ｓ２９においては、アプリが番組と連動する初期画面（番組のタイトルなど）を表示する。
【００２９】
Ｓ３０においては、アプリがスケジュール情報と現在時刻とを比較して、表示を更新する時刻が到来したか否かを判定する。そして、判定結果が肯定（時刻到来）の場合にはＳ３１に移行する。Ｓ３１においては、スケジュールから処理内容を読み出す。処理内容としては、例えばクイズ処理、アンケート処理、番組関連詳細情報表示処理、プレゼント応募処理、リクエスト処理、番組関連着信メロディダウンロード処理、商品購入予約処理などがある。
【００３０】
Ｓ３２においては、アプリによって対応する処理を実行する。この際に表示等に必要なデータをサーバ装置２から取得する。また、クイズやアンケートの回答情報をサーバ装置２に送信する。Ｓ３３においては、サーバ装置２が携帯電話１での表示情報の送信、および携帯電話１からの回答（操作）情報の受信、集計等を行う。Ｓ３４においては、例えば現在時刻が番組連動処理スケジュールの終了時刻に達したか否かが判定され、まだ処理が残っている場合にはＳ３０に戻る。
【００３１】
図７は、本発明の番組連動処理における設問（クイズあるいはアンケート）処理の内容を示すフローチャートである。このフローチャートは図５のＳ３２、Ｓ３３の部分に対応する。Ｓ５０においては、アプリがサーバ装置２に設問データを要求する。Ｓ５１においては、サーバ装置２が設問データおよび回答番号情報を送信する。設問データは例えば「これは何でしょうか？」というようなクイズあるいはアンケートの質問文であってもよく、回答番号情報は例えば「１、２、３」あるいは「３個」というような情報である。Ｓ５２においては、アプリが設問の質問文および回答番号のアイコンを表示する。
【００３２】
Ｓ５３においては、回答操作があったか否かが判定される。回答は画面に表示された回答番号のアイコンを選択操作するようにしてもよいし、回答番号と対応するダイヤルキーの押下を検出するようにしてもよい。Ｓ５４においては、アプリが回答情報をサーバ装置２に送信する。Ｓ５５においては、アプリによって回答期限が過ぎたか、あるいはすでに回答情報が送信されたか否かが判定される。そして、判定結果が否定の場合にはＳ５３に戻るが、肯定の場合にはＳ５９に移行し、期限切れあるいは回答完了の表示をする。
【００３３】
Ｓ５６においては、携帯電話１からの回答を受信し、集計して中間結果をＷｅｂ上で表示する。Ｓ５７においては、回答受け付けの期限が過ぎたか否かが判定される。そして、判定結果が否定の場合にはＳ５６に戻る。Ｓ５８においては、クイズの正解や正解率、アンケートの集計結果等の最終結果をＷｅｂ上で表示し、また携帯電話１へ最終結果を送信する。
【００３４】
Ｗｅｂ上で公開される中間結果や最終結果の情報はＴＶ放送局１０において閲覧可能であり、ＴＶ放送局１０においては、必要に応じて中間結果や最終結果の情報を放送画面に取り込んで放映することができる。Ｓ６０においては、アプリがサーバ装置２から受信した結果情報に基づき、正解、正解率、アンケートの集計結果等を表示する。
以上のような構成および動作によって携帯電話１のユーザが番組と連動する各種イベントに参加あるいは情報取得が可能となる。
【００３５】
以上実施例を説明したが、本発明のには以下のような変形例も考えられる。実施例においては、番組との連動について説明したが、民放において番組中に挿入される宣伝広告との連動も可能である。この場合には、連動処理として商品やサービスのより詳細な説明、商品と関連するホームページのＵＲＬの提供、資料請求、購入予約などの処理を行うようにしてもよい。
【００３６】
実施例においては、起動用メールは単にアプリを起動するのみの機能である場合について説明したが、起動用メールに番組のスケジュール情報を格納／添付してもよい。この場合には携帯電話１はアプリ起動時にサーバ装置２との間で時刻確認、修正のみ行えばよい。
実施例においては、テレビはユーザが手動で操作する例を開示したが、アプリ起動時に携帯電話１からテレビのリモコン信号を送信して当該番組が表示される状態にテレビを制御するようにしてもよい。また、アンケートの集計結果をＴＶ番組から取得し、番組内容に反映することも考えられる。
【産業上の利用可能性】
【００３７】
本発明は、携帯電話機等の携帯端末、サーバ装置、携帯電話網、インターネット等を含むデータ通信システム、情報処理システムの産業分野で利用可能である。
【図面の簡単な説明】
【００３８】
【図１】本発明が適用されるシステムを概略的に示す概略構成図である。
【図２】本実施の形態による携帯電話の内部構成例を示すブロック図である。
【図３】本実施の形態によるサーバ装置の内部構成例を示すブロック図である。
【図４】本発明の番組連動処理の概要を示すフローチャートである。
【図５】本発明の番組連動処理における携帯電話およびサーバ装置の処理内容を示すフロ    ーチャートである。
【図６】本発明の番組連動処理における参加登録処理の内容を示すフローチャートで    ある。
【図７】本発明の番組連動処理における設問処理の内容を示すフローチャートである    。
【図８】本発明のスケジュール情報の内容例を示す説明図である。
【符号の説明】
【００３９】
１…携帯電話（携帯端末）
２…サーバ装置
３…データベース
４…インターネット
５…携帯電話網
６…パケット網
７…ゲートウェイサーバ
９…基地局
１０…ＴＶ放送局
１１…テレビ受信機
【図１】
0003741707.tif 000002
【図２】
0003741707.tif 000003
【図３】
0003741707.tif 000004
【図４】
0003741707.tif 000005
【図５】
0003741707.tif 000006
【図６】
0003741707.tif 000007
【図７】
0003741707.tif 000008
【図８】
0003741707.tif 000009